(57)【要約】  ＡＣＦ（５００）を介してパネル（２００）の表面に実装された部品（２０１）の所定の実装位置からのずれ量を検出する装置であって、パネル（２００）表面に形成されたパネル認識マーク（５３０）及び部品（２０１）表面に形成された部品認識マーク（５２０）に赤外光を照射する赤外光照明（３０５）と、パネル（２００）に対し赤外光照明（３０５）と反対側に配設され、赤外光が照射されたパネル認識マーク（５３０）及び部品認識マーク（５２０）を撮像するＩＲカメラ（３０７）と、ＩＲカメラ（３０７）による撮像結果としての画像から、パネル認識マーク（５３０）及び部品認識マーク（５２０）の位置関係の所定の位置関係からのずれ量を算出するずれ量算出部とを備え、赤外光照明（３０５）の光軸は、パネル（２００）又は部品（２０１）の表面の法線に対して傾いている。
2009093445.tif 000002
【特許請求の範囲】
【請求項１】
導電性粒子を含む接着部材を介してパネルの表面に実装された部品の所定の実装位置からのずれ量を検出する装置であって、
パネルの表面に形成されたパネル認識マーク及び部品が実装されるパネルの表面に対向する前記部品の表面に形成された部品認識マークに光を照射する照明手段と、
パネルに対し前記照明と反対側に配設され、前記光が照射されたパネル認識マーク及び部品認識マークを撮像するカメラと、
前記カメラによる撮像結果としての画像から、前記パネル認識マーク及び前記部品認識マークの位置関係の所定の位置関係からのずれ量を算出する算出手段とを備え、
前記照明手段は、パネル及び部品を透過し、かつ前記導電性粒子を透過しない又は透過し難い波長で光を照射し、
前記照明手段の光軸は、前記パネル又は部品の表面の法線に対して傾いている
ことを特徴とする検査装置。
【請求項２】
前記照明手段の光軸は、前記パネル認識マーク又は部品認識マークと交差する
ことを特徴とする請求項１に記載の検査装置。
【請求項３】
前記照明手段の光軸は、前記パネル又は部品の表面と４５°以上６０°未満の角度をなす
ことを特徴とする請求項２に記載の検査装置。
【請求項４】
前記照明手段は、パネルに部品が実装される側とは反対側のパネルの裏面側に配設され、
前記照明手段の光軸は、前記部品認識マークと交差し、前記部品の表面と４５°以上６０°未満の角度をなす
ことを特徴とする請求項３に記載の検査装置。
【請求項５】
前記照明手段の光軸は、前記パネル認識マーク及び部品認識マークと交差しない
ことを特徴とする請求項１に記載の検査装置。
【請求項６】
前記照明手段の光軸は、前記パネル又は部品の表面と５０°以上８５°未満の角度をなす
ことを特徴とする請求項５に記載の検査装置。
【請求項７】
前記照明手段は、パネルに部品が実装される側とは反対側のパネルの裏面側に配設され、
前記照明手段の光軸は、前記部品認識マークの表面と５０°以上８５°未満の角度をなす
ことを特徴とする請求項６に記載の検査装置。
【請求項８】
前記照明手段は、異なる方向から前記パネル認識マーク及び部品認識マークに光を照射する複数の照明から構成される
ことを特徴とする請求項１〜７のいずれか１項に記載の検査装置。
【請求項９】
前記複数の照明のぞれぞれは、該照明の光軸が前記パネル認識マーク又は部品認識マークの輪郭を構成する直線部と直交するように配置される
ことを特徴とする請求項８に記載の検査装置。
【請求項１０】
導電性粒子を含む接着部材を介してパネルの表面に実装された部品の所定の実装位置からのずれ量を検出する方法であって、
パネルの表面に形成されたパネル認識マーク及び部品が実装されるパネルの表面に対向する前記部品の表面に形成された部品認識マークに光を照射する照明ステップと、
パネルに対し前記照明と反対側に配設され、前記光が照射されたパネル認識マーク及び部品認識マークを撮像する撮像ステップと、
前記カメラによる撮像結果としての画像から、前記パネル認識マーク及び前記部品認識マークの位置関係の所定の位置関係からのずれ量を算出する算出ステップとを含み、
前記照明ステップでは、パネル及び部品を透過し、かつ前記導電性粒子を透過しない又は透過し難い波長で光を照射し、
前記照明の光軸は、前記パネル又は部品の表面の法線に対して傾いている
ことを特徴とする検査方法。
【発明の詳細な説明】
【技術分野】
【０００１】
本発明は、検査装置及び検査方法に関し、特に電子部品の基板への実装状態を検査する検査装置及び検査方法に関する。
【背景技術】
【０００２】
従来から、ＩＴＯ（Indium Tin Oxide）等で構成される電極を持った液晶ディスプレイ及びプラズマディスプレイ等のフラットパネルディスプレイ（以下、パネルという）上に、電極を持ったＴＡＢ（Tape Automated Bonding）基板、半導体素子及びフレキシブル基板等の電子部品（以下、部品という）を実装することが行われている。【０００３】
この実装では、部品とパネルとの間に異方性導電接着剤シート（以下、ＡＣＦという）を介在させた状態で部品のパネルへの仮圧着及び本圧着が行われ、パネルの電極と部品の電極とが接合される。仮圧着においては、熱圧着加圧ヘッドにより部品を弱く押圧して部品の仮圧着が行われ、その後の本圧着では、仮圧着された部品を熱圧着加圧ヘッドにより低圧着より高い温度と高い圧力で押圧して部品の本圧着が行われる。さらに、部品の所定の実装位置からの相対的なずれ量（位置ずれ量）が検査装置により検出される。検出された位置ずれ量は次のパネルの部品実装にフィードバックされ、位置ずれを補正した実装が行われる。【０００４】
部品の位置ずれ量を検出する検査装置としては、例えば特許文献１に記載のものがある。この検査装置においてずれ量の検出は、パネル（透明基板）に設けられたアライメントマークと、部品に設けられたアライメントマークとのずれ量をパネルに実装された部品の位置ずれ量として検出することにより行われる。
【特許文献１】特開２００６−４０９７８号公報
【発明の開示】
【発明が解決しようとする課題】
【０００５】
ところで、特許文献１に記載の検査装置において部品のアライメントマークの位置は、パネルの裏面（パネルに部品が実装されていない側のパネルの面）側から該アライメントマークに近赤外光を照射し、パネルの裏面側で撮像装置により該アライメントマークを撮像し、その撮像結果に基づいて検出される。しかし、金属等の導電性粒子は近赤外光を透過しない又は透過し難いため、パネルの裏面側から近赤外光を照射しても、近赤外光が部品に設けられたアライメントマークに届くことは無く、部品のアライメントマークを撮像することができないのである。部品の実装ピッチの狭ピッチ化が進むに従って導電性粒子の微細化・高密度化が進み、導電性粒子で光が遮られ易くなるので、より部品のアライメントマークに光が届き難くなる。その結果、部品のアライメントマークを認識し難くなるため、実装ピッチの狭ピッチ化が進むに従ってこの問題がより顕著になる。従って、この特許文献１の検査装置では、ＡＣＦ等の導電性粒子を含む接合部材を介してパネルに実装された部品の位置ずれ量を検出することは極めて困難である。【０００６】
そこで、本発明は、かかる問題点に鑑み、導電性粒子を含む接着部材を介してパネルに実装された部品の位置ずれ量を精度良く検出することが可能な検査装置及び検査方法を提供することを目的とする。
【課題を解決するための手段】
【０００７】
上記目的を達成するために、本発明の検査装置は、導電性粒子を含む接着部材を介してパネルの表面に実装された部品の所定の実装位置からのずれ量を検出する装置であって、パネルの表面に形成されたパネル認識マーク及び部品が実装されるパネルの表面に対向する前記部品の表面に形成された部品認識マークに光を照射する照明手段と、パネルに対し前記照明と反対側に配設され、前記光が照射されたパネル認識マーク及び部品認識マークを撮像するカメラと、前記カメラによる撮像結果としての画像から、前記パネル認識マーク及び前記部品認識マークの位置関係の所定の位置関係からのずれ量を算出する算出手段とを備え、前記照明手段は、パネル及び部品を透過し、かつ前記導電性粒子を透過しない又は透過し難い波長で光を照射し、前記照明手段の光軸は、前記パネル又は部品の表面の法線に対して傾いていることを特徴とする。【０００８】
これにより、パネル又は部品の表面の法線に対して光軸が傾いた照明手段を用いてパネル認識マーク及び部品認識マークを撮像する。従って、照明手段からの光が導電性粒子により散乱され易くなり、散乱光がカメラに入ってパネル認識マーク及び部品認識マークの画像を形成するので、導電性粒子の影響によりパネル認識マーク及び部品認識マークが認識できないようなことを抑制することができる。その結果、導電性粒子の影響を低減させて部品の位置ずれ量を算出することができるので、導電性粒子を含む接着部材を介してパネルに実装された部品の位置ずれ量を精度良く検出することができる。【０００９】
ここで、前記照明手段の光軸は、前記パネル認識マーク又は部品認識マークと交差してもよい。また、前記照明手段の光軸は、前記パネル又は部品の表面と４５°以上６０°未満の角度をなすのが好ましい。また、前記照明手段は、パネルに部品が実装される側とは反対側のパネルの裏面側に配設され、前記照明手段の光軸は、前記部品認識マークと交差し、前記部品の表面と４５°以上６０°未満の角度をなすのが好ましい。【００１０】
これにより、照明手段からの光をパネル認識マーク又は部品認識マークに直接照射することができるので、光量の大きな照明手段を用いる必要が無くなり、低消費電力化を図ることができる。【００１１】
また、前記照明手段の光軸は、前記パネル認識マーク及び部品認識マークと交差しなくてもよい。この場合、前記照明手段の光軸は、前記パネル又は部品の表面と５０°以上８５°未満の角度をなすのが好ましい。また、前記照明手段は、パネルに部品が実装される側とは反対側のパネルの裏面側に配設され、前記照明手段の光軸は、前記部品認識マークの表面と５０°以上８５°未満の角度をなすのが好ましい。【００１２】
これにより、パネル認識マーク及び部品認識マークの明瞭な認識可能な画像を得ることが可能な角度の範囲が５０°以上８５°未満と広くなるので、設計自由度を高くすることができる。【００１３】
また、前記照明手段は、異なる方向から前記パネル認識マーク及び部品認識マークに光を照射する複数の照明から構成されるのが好ましい。この場合、前記複数の照明のぞれぞれは、該照明の光軸が前記パネル認識マーク又は部品認識マークの輪郭を構成する直線部と直交するように配置されるのが好ましい。【００１４】
これにより、パネル認識マーク又は部品認識マークのエッジが強調された画像を得ることができる。【００１５】
また、本発明は、導電性粒子を含む接着部材を介してパネルの表面に実装された部品の所定の実装位置からのずれ量を検出する方法であって、パネルの表面に形成されたパネル認識マーク及び部品が実装されるパネルの表面に対向する前記部品の表面に形成された部品認識マークに光を照射する照明ステップと、パネルに対し前記照明と反対側に配設され、前記光が照射されたパネル認識マーク及び部品認識マークを撮像する撮像ステップと、前記カメラによる撮像結果としての画像から、前記パネル認識マーク及び前記部品認識マークの位置関係の所定の位置関係からのずれ量を算出する算出ステップとを含み、前記照明ステップでは、パネル及び部品を透過し、かつ前記導電性粒子を透過しない又は透過し難い波長で光を照射し、前記照明の光軸は、前記パネル又は部品の表面の法線に対して傾いていることを特徴とする検査方法とすることもできる。【００１６】
これにより、導電性粒子を含む接着部材を介してパネルに実装された部品の位置ずれ量を精度良く検出することができる。
【発明の効果】
【００１７】
本発明によれば、導電性粒子を含む接着部材を介してパネルに実装された部品の位置ずれ量を精度良く検出することが可能な検査装置及び検査方法を実現できるという効果が奏される。
【図面の簡単な説明】
【００１８】
【図１】図１は、本発明の実施の形態の部品実装システムの全体構成を示す概念図である。
【図２】図２は、同部品実装システムのパネル実装機において部品がパネルに実装される様子を示す図である。
【図３】図３（ａ）は、同部品実装システムの検査機の概略構成を示す斜視図である。図３（ｂ）は、同部品実装システムの検査機で実装済パネルが検査される様子を示す図である。
【図４】図４は、検査機においてパネル認識マーク及び部品認識マークに赤外光が照射される様子を示す図である。
【図５】図５は、同部品実装システムの概略構成を示す機能ブロック図である。
【図６】図６は、同部品実装システムのフィードバック動作を示すシーケンスである。
【図７】図７（ａ）は、部品認識マークの一例を示す図である。図７（ｂ）は、パネル認識マークの一例を示す図である。図７（ｃ）は、パネル認識マークの一例を示す図である。図７（ｄ）は、部品認識マーク及びパネル認識マークの一例を示す図である。図７（ｅ）は、部品認識マーク及びパネル認識マークの一例を示す図である。
【図８】図８（ａ）は、部品認識マークの一例を示す図である。図８（ｂ）は、パネル認識マークの一例を示す図である。図８（ｃ）は、部品認識マーク及びパネル認識マークの一例を示す図である。
【図９】図９（ａ）は、ＩＲカメラによる撮像結果としての画像の一例を示す図である。図９（ｂ）は、ＩＲカメラによる撮像結果としての画像の一例を示す図である。
【図１０】図１０は、照射角度及び画像の評価結果の関係を示す図である。
【図１１Ａ】図１１Ａは、照射角度、画像の評価結果及びマーク画像の関係を示す図である。
【図１１Ｂ】図１１Ｂ（ａ）（ｂ）は、マーク画像の一例を示す図である。
【図１１Ｃ】図１１Ｃは、マーク画像の一例を示す図である。
【図１２】図１２は、検査機において部品認識マークに赤外光が照射される様子を示す図である。
【図１３】図１３は、検査機において部品認識マークに赤外光が照射される様子を示す図である。
【図１４】図１４は、検査機においてパネル認識マーク及び部品認識マークに赤外光が照射される様子を示す図である。
【図１５】図１５は、照射角度及び画像の評価結果の関係を示す図である。
【図１６】図１６は、照射角度、画像の評価結果及びマーク画像の関係を示す図である。
【図１７】図１７は、同部品実装システムの検査機で実装済パネルが検査される様子を示す図である。
【図１８】図１８は、検査機においてパネル認識マーク及び部品認識マークに赤外光が照射される様子を示す図である。
【図１９】図１９は、ＩＲカメラによる撮像結果としての画像の一例を示す図である。
【図２０】図２０は、ＩＲカメラによる撮像結果としての画像の一例を示す図である。
【図２１】図２１は、検査機においてパネル認識マーク及び部品認識マークに赤外光が照射される様子を示す図である。
【図２２】図２２は、ＩＲカメラによる撮像結果としての画像の一例を示す図である。
【図２３】図２３は、検査機において部品認識マークに赤外光が照射される様子を示す図である。
【符号の説明】
【００１９】
１００    部品実装システム
１０１、１０６    ローダ
１０２    洗浄機
１０３ａ、１０３ｂ    パネル実装機
１０４    部品供給ユニット
１０５    検査機
１０８    ラインコントローラ
１０９    通信ケーブル
１１３    ＡＣＦ貼付装置
１１４    仮圧着装置
１１５、１１６    本圧着装置
２００    パネル
２０１    部品
２０２、２０４、２０６    熱圧着加圧ヘッド
２０３、２０５、２０７、３０１    バックアップステージ
３００    実装済パネル
３０２    パネル移載ステージ部
３０３    パネル下搬送移載軸部
３０５    赤外光照明
３０７    ＩＲカメラ
４１０、４３０、４４０    制御部
４１１、４３１、４４１    記憶部
４１１ａ    マスタテーブル
４１２、４３２、４４２    入力部
４１３、４３３、４４３    表示部
４１４、４３４、４４４    通信Ｉ／Ｆ部
４１５    演算部
４３１ａ    フィードバックデータ
４３５、４４５    機構部
４３６    データ更新部
４４１ａ    検査位置データ
４４１ｂ    特徴点データ
４４６    ずれ量算出部
４４８    取得部
５００    ＡＣＦ
５１０    導電性粒子
５２０    部品認識マーク
５３０    パネル認識マーク
【発明を実施するための最良の形態】
【００２０】
以下、本発明の実施の形態における部品実装システムについて、図面を参照しながら説明する。【００２１】
図１は、本実施の形態の部品実装システム１００の全体構成を示す概念図である。【００２２】
この部品実装システム１００は、ローダ１０１、洗浄機１０２、２つのパネル実装機１０３ａ及び１０３ｂ、部品供給ユニット１０４、検査機１０５並びにローダ１０６から構成されるラインと、ラインコントローラ１０８と、通信ケーブル１０９とから構成されている。【００２３】
ローダ１０１は、パネルをラインに供給する。洗浄機１０２は、ローダ１０１により供給されたパネルのＡＣＦが貼り付けられる部分を洗浄する。２つのパネル実装機１０３ａ及び１０３ｂは、それぞれパネルの異なる辺に部品を実装する。部品供給ユニット１０４は、パネル実装機１０３ａに部品を供給する。検査機１０５は、ＡＣＦを介してパネルの表面に実装された部品の所定の実装位置からの相対的なずれ量（位置ずれ量）を検出する。ローダ１０６は、部品が実装されたパネル（以下、実装済パネルという）を排出する。ラインコントローラ１０８は、ライン全体の稼動状況や各種データの通信等を管理・制御する。通信ケーブル１０９は、ラインコントローラ１０８と各装置とを接続する。【００２４】
パネル実装機１０３ａは、ＡＣＦ貼付装置１１３、仮圧着装置１１４及び本圧着装置１１５から構成される。ＡＣＦ貼付装置１１３は、パネルの表面の長辺及び短辺にＡＣＦを貼り付ける。仮圧着装置１１４は、熱圧着加圧ヘッドにより部品を載置し、弱く押圧してパネルの表面に仮圧着する。本圧着装置１１５は、パネルの表面の長辺に仮圧着された部品を熱圧着加圧ヘッドにより仮圧着より高い温度と圧力で押圧してパネルの表面に本圧着する。【００２５】
パネル実装機１０３ｂは、本圧着装置１１６から構成される。本圧着装置１１６は、熱圧着加圧ヘッドによりパネルの表面の短辺に仮圧着された部品を仮圧着より高い温度と圧力で押圧してパネルの表面に本圧着する。【００２６】
図２は、パネル実装機１０３ａ及び１０３ｂにおいて部品２０１がパネル２００に実装される様子を示す図である。【００２７】
まず、ＡＣＦ貼付装置１１３でパネル２００の表面の側縁部にＡＣＦを貼り付けた後、仮圧着装置１１４にパネル２００を移動させる。【００２８】
次に、部品２０１を保持する熱圧着加圧ヘッド２０２を下降させ（図２（ａ））、バックアップステージ２０３上に載置されたパネル２００の表面のＡＣＦが貼り付けられた部分に部品２０１を仮圧着する（図２（ｂ））。【００２９】
次に、本圧着装置１１５にパネル２００を移動させた後、熱圧着加圧ヘッド２０４を下降させ（図２（ｃ））、バックアップステージ２０５上に載置されたパネル２００の表面の長辺に仮圧着された部品２０１を本圧着する（図２（ｄ））。【００３０】
最後に、本圧着装置１１６にパネル２００を移動させた後、熱圧着加圧ヘッド２０６を下降させ（図２（ｅ））、バックアップステージ２０７上に載置されたパネル２００の表面の短辺に仮圧着された部品２０１を本圧着する（図２（ｆ））。【００３１】
図３（ａ）は検査機１０５の概略構成を示す斜視図であり、図３（ｂ）は検査機１０５により実装済パネル３００が検査される様子を示す図である。【００３２】
検査機１０５は、バックアップステージ３０１、パネル移載ステージ部３０２、パネル下搬送移載軸部３０３、赤外光照明３０５及び赤外線（ＩＲ）カメラ３０７を備える。【００３３】
バックアップステージ３０１には、実装済パネル３００が載置される。パネル移載ステージ部３０２は、バックアップステージ３０１に実装済パネル３００を移載する。パネル下搬送移載軸部３０３は、実装済パネル３００をパネル移載ステージ部３０２に移送する。【００３４】
赤外光照明３０５は、パネル２００の裏面（パネル２００に部品２０１が実装される表面に対する裏面側のパネル２００の面）側に配設され、パネル２００に部品２０１が実装されているパネル２００の表面に対する裏面である実装済パネル３００の裏面に赤外光を照射する。パネル２００は赤外光に対して透明であるため、赤外光照明３０５により照射された赤外光はパネル２００を透過し、パネル２００の表面（パネル２００に部品２０１が実装されるパネル２００の面）に形成されたパネル認識マーク、及びパネル２００の表面に対向する部品２０１の表面（パネル２００の表面と平行でパネル２００と接合する部品２０１の面）に形成された部品認識マークに照射される。【００３５】
このとき、図４に示されるように、赤外光照明３０５の光軸は部品認識マーク５２０の表面と交差している。さらに、赤外光照明３０５の光軸は部品認識マーク５２０の表面及び実装済パネル３００の表面の法線（部品２０１の表面の法線）に対して傾いており、実装済パネル３００の表面と４５°以上６０°未満の角度をなしている。このような光軸の傾いた赤外光照明３０５によりパネル認識マーク５３０及び部品認識マーク５２０への光照射を行った場合には、ＡＣＦ５００における赤外光の光路長が長くなって導電性粒子（ＡＣＦ粒子）５１０に当たり易くなる。これにより、導電性粒子５１０は球形であるため、ＡＣＦ５００において赤外光照明３０５からの赤外光が導電性粒子５１０により散乱され易くなる。従って、赤外光照明３０５の光軸が実装済パネル３００の表面の法線に平行である場合には、ＩＲの直進性により赤外光照明３０５からの赤外光がＩＲカメラ３０７に直接入って部品認識マーク５２０の画像を形成する。この場合、導電性粒子５１０が部品認識マーク５２０に重なる部分は赤外線光が導電性粒子５１０を透過しない又は透過しにくい波長のため、導電性粒子５１０により部品認識マーク５２０の一部が欠けた画像になるが、赤外光照明３０５の光軸が傾いている場合には、赤外光の導電性粒子５１０による散乱光がＩＲカメラ３０７に入って部品認識マーク５２０の画像を形成する。その結果、導電性粒子５１０は赤外光を透過しない又は透過し難いにも関わらず、ＡＣＦ５００における導電性粒子５１０の存在する粒子部分も画像において明るく映り、粒子部分と導電性粒子５１０の存在しないバインダ部分（熱硬化性樹脂部分）との画像における輝度差が小さくなるため、導電性粒子５１０により部品認識マーク５２０の一部が欠けた画像となることが無くなる。【００３６】
ここで、ＩＲカメラ３０７は、実装済パネル３００に対し赤外光照明３０５と反対側、つまり部品２０１の裏面（部品２０１がパネル２００と接合する面とは反対側の部品２０１の面）側に配設される。ＩＲカメラ３０７は、赤外光が照射されたパネル認識マーク５３０及び部品認識マーク５２０を撮像する。ＩＲカメラ３０７の光軸は部品認識マーク５２０の表面及び実装済パネル３００の表面の法線（部品２０１の表面の法線）と平行である。【００３７】
このとき、それぞれの材質は主に、部品はポリイミドやＳｉで、パネル２００はガラスでパネル認識マーク５３０及び部品認識マーク５２０はＡｌであり、導電性粒子５１０の表面はＮｉで形成されている。【００３８】
図５は、部品実装システム１００の概略構成を示す機能ブロック図である。【００３９】
ラインコントローラ１０８は、制御部４１０、記憶部４１１、入力部４１２、表示部４１３、通信Ｉ／Ｆ部４１４及び演算部４１５を備える。【００４０】
制御部４１０は、オペレータからの指示等に従って、記憶部４１１のライン制御データを実行し、その実行結果に従って各部を制御する。【００４１】
記憶部４１１は、ハードディスクやメモリ等であり、ライン制御データ及びマスタテーブル４１１ａ等を保持する。マスタテーブル４１１ａは、対応付けられた一組の実装位置及び補正量（フィードバック量）を示す情報からなる。【００４２】
入力部４１２は、キーボードやマウス等であり、表示部４１３は、ＣＲＴ（Cathode-Ray Tube）やＬＣＤ（Liquid Crystal Display）等である。これらは、本ラインコントローラ１０８とオペレータとが対話する等のために用いられる。【００４３】
通信Ｉ／Ｆ部４１４は、ＬＡＮ（Local Area Network）アダプタ等であり、本ラインコントローラ１０８とパネル実装機１０３ａ及び検査機１０５との通信等に用いられる。【００４４】
演算部４１５は、検査機１０５で算出された実装済パネル３００のパネル２００に実装された部品２０１の位置ずれ量に基づいて補正量を算出し、記憶部４１１のマスタテーブル４１１ａを更新する。【００４５】
パネル実装機１０３ａは、制御部４３０、記憶部４３１、入力部４３２、表示部４３３、通信Ｉ／Ｆ部４３４、機構部４３５及びデータ更新部４３６を備える。【００４６】
制御部４３０は、オペレータからの指示等に従って、記憶部４３１のＮＣデータを実行し、その実行結果に従って各部を制御する。【００４７】
記憶部４３１は、ハードディスクやメモリ等であり、ＮＣデータ、及びフィードバックデータ４３１ａ等を保持する。フィードバックデータ４３１ａは、対応付けられた一組の実装位置及び補正量を示す情報からなる。【００４８】
入力部４３２は、キーボードやマウス等であり、表示部４３３は、ＣＲＴやＬＣＤ等である。これらは、パネル実装機１０３ａとオペレータとが対話する等のために用いられる。【００４９】
通信Ｉ／Ｆ部４３４は、ＬＡＮアダプタ等であり、パネル実装機１０３ａとラインコントローラ１０８との通信等に用いられる。【００５０】
機構部４３５は、パネル実装機１０３ａの熱圧着加圧ヘッド２０２、２０４及び２０６、搬送部、アーム、ＸＹテーブル、部品供給部、並びにこれらを駆動するモータやモータコントローラ等を含む機構部品の集合である。【００５１】
データ更新部４３６は、ラインコントローラ１０８から送信されたマスタテーブル４１１ａを基に記憶部４３１のフィードバックデータ４３１ａを更新する。【００５２】
検査機１０５は、制御部４４０、記憶部４４１、入力部４４２、表示部４４３、通信Ｉ／Ｆ部４４４、機構部４４５、ずれ量算出部４４６及び取得部４４８を備える。【００５３】
制御部４４０は、オペレータからの指示等に従って、記憶部４４１のＮＣデータを実行し、その実行結果に従って各部を制御する。【００５４】
記憶部４４１は、ハードディスクやメモリ等であり、ＮＣデータ、検査位置データ４４１ａ及び特徴点データ４４１ｂ等を保持する。検査位置データ４４１ａは、検査機１０５において検査が行われる対象となる全ての位置を示す情報の集まりである。特徴点データ４４１ｂは、パネル認識マーク５３０及び部品認識マーク５２０の特徴点に関する情報である。【００５５】
入力部４４２は、キーボードやマウス等であり、表示部４４３は、ＣＲＴやＬＣＤ等である。これらは、検査機１０５とオペレータとが対話する等のために用いられる。【００５６】
通信Ｉ／Ｆ部４４４は、ＬＡＮアダプタ等であり、検査機１０５とラインコントローラ１０８との通信等に用いられる。【００５７】
機構部４４５は、検査機１０５のパネル移載ステージ部３０２、パネル下搬送移載軸部３０３、赤外光照明３０５及びＩＲカメラ３０７並びにこれらを駆動するモータやモータコントローラ等を含む機構部品の集合である。【００５８】
ずれ量算出部４４６は、本発明の算出手段の一例であり、ＩＲカメラ３０７による撮像結果としての画像からパネル認識マーク５３０と部品認識マーク５２０との部品２０１をパネル２００に実装した時の所定の実装の位置関係からのずれ量を算出する。具体的には、ＩＲカメラ３０７による撮像結果としての画像においてパネル認識マーク５３０の特徴点の位置を基準とした所定の位置からの、部品認識マーク５２０における所定の特徴点の位置のずれ量を算出する。【００５９】
取得部４４８は、ＩＲカメラ３０７による撮像結果としての画像においてパネル認識マーク５３０の所定の特徴点及び部品認識マーク５２０の所定の特徴点の位置を取得する。【００６０】
次に、部品実装システム１００のフィードバック動作（部品２０１の位置ずれ量を部品実装にフィードバックする流れ）について詳細に説明する。図６は、部品実装システム１００のフィードバック動作を示すシーケンスである。【００６１】
まず、検査機１０５の制御部４４０は、機構部４４５により実装済パネル３００の１組のパネル認識マーク５３０及び部品認識マーク５２０を撮像させる（ステップＳ１１）。具体的には、検査位置データ４４１ａに示される位置の１つに形成されたパネル認識マーク５３０及び部品認識マーク５２０に、実装済パネル３００の裏面（パネル２００に部品２０１が実装された表面に対する裏面側の面）側から赤外光照明３０５により赤外光を照射させ、実装済パネル３００の表面（パネル２００に部品２０１が実装されている側の面）側において該パネル認識マーク５３０及び部品認識マーク５２０をＩＲカメラ３０７により撮像させる。【００６２】
次に、検査機１０５の制御部４４０は、取得部４４８にパネル認識マーク５３０及び部品認識マーク５２０の特徴点の位置を取得させる（ステップＳ１２）。【００６３】
例えば、図７（ａ）に示されるような部品認識マーク５２０が部品２０１の表面（部品２０１が実装されるパネル２００の面に対向する部品２０１の面）に形成され、図７（ｂ）又は（ｃ）に示されるようなパネル認識マーク５３０がパネル２００の表面（部品２０１が実装されるパネル２００の面）に形成され、部品２０１が所定の実装位置でパネル２００に実装されると部品認識マーク５２０及びパネル認識マーク５３０が図７（ｄ）又は（ｅ）に示されるような位置関係となるとする。この場合、部品認識マーク５２０及びパネル認識マーク５３０のそれぞれの輪郭を構成する直線が交わるエッジ（コーナ）Ａ１及びＡ２が特徴点として特徴点データ４４１ｂに示されているとすると、エッジＡ１及びＡ２の位置が取得される。【００６４】
また、図８（ａ）に示されるような部品認識マーク５２０が部品２０１の表面（部品２０１が実装されるパネル２００の面に対向する部品２０１の面）に形成され、図８（ｂ）に示されるようなパネル認識マーク５３０がパネル２００の表面（部品２０１が実装されるパネル２００の面）に形成され、部品２０１が所定の実装位置でパネル２００に実装されると部品認識マーク５２０及びパネル認識マーク５３０が図８（ｃ）に示されるような位置関係となるとする。この場合、部品認識マーク５２０及びパネル認識マーク５３０を構成する円の重心Ｂ１及びＢ２が特徴点として特徴点データ４４１ｂに示されているとすると、円の重心Ｂ１及びＢ２の位置が取得される。【００６５】
次に、検査機１０５の制御部４４０は、ずれ量算出部４４６によりパネル認識マーク５３０の特徴点の位置を基準とした所定の位置からの、部品認識マーク５２０の所定の特徴点の位置のずれ量を部品２０１の実装位置のずれ量である位置ずれ量として算出させる（ステップＳ１３）。具体的には、パネル認識マーク５３０の所定の特徴点の位置を基準とした部品認識マーク５２０の所定の特徴点の位置を算出させ、パネル認識マーク５３０の所定の特徴点の位置を基準とした所定の位置からの算出された部品認識マーク５２０の所定の特徴点の位置のずれ量を算出させる。【００６６】
次に、検査機１０５の制御部４４０は、通信Ｉ／Ｆ部４４４により、算出された部品２０１の位置ずれ量を検査位置データ４４１ａに示された実装位置に対応付けてラインコントローラ１０８に送信させる（ステップＳ１４）。【００６７】
次に、ラインコントローラ１０８の制御部４１０は、演算部４１５により、通信Ｉ／Ｆ部４１４を介して受信した位置ずれ量に基づいて、記憶部４１１のマスタテーブル４１１ａを更新させる（ステップＳ１５）。【００６８】
次に、ラインコントローラ１０８の制御部４１０は、通信Ｉ／Ｆ部４１４により、更新されたマスタテーブル４１１ａをパネル実装機１０３ａに送信させる（ステップＳ１６）。【００６９】
次に、パネル実装機１０３ａの制御部４３０は、通信Ｉ／Ｆ部４３４を介して受信したマスタテーブル４１１ａに基づいて、記憶部４３１のフィードバックデータ４３１ａを更新する（ステップＳ１７）。【００７０】
最後に、パネル実装機１０３ａの制御部４３０は、ＮＣデータを実行し、機構部４３５により部品２０１をパネル２００に実装させる（ステップＳ１８）。実装に際しては更新されたフィードバックデータ４３１ａを加味して部品２０１の実装位置が補正され、補正された実装位置に部品２０１がＡＣＦ５００を介して実装される。【００７１】
以上のように本実施の形態に係る検査機１０５によれば、得られたパネル認識マーク５３０及び部品認識マーク５２０の画像に基づいて検査機１０５が部品２０１の位置ずれ量を算出する。従って、ＡＣＦ５００を介してパネル２００に実装された部品２０１の位置ずれ量を精度良く検出することができる。【００７２】
また、本実施の形態に係る検査機１０５によれば、赤外光照明３０５の光軸は実装済パネル３００の表面の法線に対して傾き、赤外光照明３０５の光軸は実装済パネル３００の表面あるいは部品２０１の表面と４５°以上６０°未満の角度をなしている。従って、導電性粒子５１０の影響を抑制し部品認識マーク５２０を撮像することができるので、部品２０１の位置ずれ量を算出することができ、ＡＣＦ５００を介してパネル２００に実装された部品２０１の位置ずれ量を確実に検出することができる。【００７３】
すなわち、赤外光照明３０５の光軸が実装済パネル３００の表面の法線に平行である場合、図９（ａ）に示されるように、赤外線光が導電性粒子５１０を透過しない又は透過しにくい波長のため、導電性粒子５１０が赤外線光を遮ることによる影響によりパネル認識マーク５３０及び部品認識マーク５２０の輪郭が不明瞭で特徴点を認識できない画像しか得られない。しかし、赤外光照明３０５の光軸を実装済パネル３００の表面の法線に対して傾けることにより、図９（ｂ）に示されるような、導電性粒子５１０の影響が排除された、パネル認識マーク５３０及び部品認識マーク５２０の輪郭が明瞭で特徴点を認識可能な画像が得ることができる。【００７４】
これは、図１０及び１１Ａから明らかである。図１０は、赤外光照明３０５の光軸と実装済パネル３００の表面あるいは部品２０１の表面とがなす角度（照射角度）、並びにパネル認識マーク５３０及び部品認識マーク５２０の画像が輪郭の明瞭な認識可能なものであるか否かの評価結果（画像の評価結果）の関係を示している。図１１Ａは、照射角度、画像の評価結果並びにパネル認識マーク５３０及び部品認識マーク５２０の画像（マーク画像）の関係を示している。なお、画像の評価結果の「○」はパネル認識マーク５３０及び部品認識マーク５２０の画像が輪郭の明瞭な認識可能なものであることを示し、「×」はそうでないことを示している。図１０及び１１Ａでは、照射角度が４５°以上６０°未満のときに、マーク画像が輪郭の明瞭な認識可能なものになることが示されている。例えば、照射角度が４０°の場合には、図１１Ｂに示される輪郭の不明瞭なマーク画像しか得られず、画像処理（多値化処理）にて表されるグラフにおいて、Ｘ座標に対する認識マークの輝度レベルの変化点の境界が不明瞭で認識マークの境界の検出が困難である。一方、照射角度が５０°の場合には、図１１Ｃに示される輪郭の明瞭な認識可能なマーク画像が得られ、画像処理（多値化処理）にて表されるグラフにおいて、Ｘ座標に対する認識マークの輝度レベルの変化点の境界が明瞭で認識マークの境界の検出が可能であり、認識マークの位置認識が可能である。【００７５】
また、本実施の形態に係る検査機１０５によれば、図１２に示されるように、赤外光照明３０５はその光軸（図１２における軸Ａ）が部品認識マーク５２０の表面と交差するように配置される。従って、赤外光照明３０５からの赤外光を部品認識マーク５２０に直接照射することができるので、赤外光照明３０５の光量を大きくする必要が無くなり、低消費電力化を図ることができる。【００７６】
以上、本発明の検査装置及び検査方法について、上記の実施の形態に基づいて説明したが、本発明は、この実施の形態に限定されるものではない。本発明の要旨を逸脱しない範囲内で当業者が思いつく各種変形を施したものも本発明の範囲内に含まれる。【００７７】
例えば、上記実施の形態において、ラインに検査機１０５を設けるとした。しかし、パネル実装機１０３ａ及び１０３ｂに実装済パネル３００を検査する機能を持たせてもよい。この場合、パネル実装機１０３ａ及び１０３ｂは、実装済パネル３００に対し、上記実施の形態の検査機１０５と同様の位置関係で配置された赤外光照明３０５及びＩＲカメラ３０７を備える。【００７８】
また、上記実施の形態において、パネル認識マーク５３０及び部品認識マーク５２０を撮像するために検査機１０５には赤外光照明３０５及びＩＲカメラ３０７が設けられるとした。しかし、パネル認識マーク５３０及び部品認識マーク５２０を撮像できる光つまりパネル２００及び部品２０１を透過し、かつ導電性粒子５１０を透過しない又は透過し難い波長の光を発する照明、及びその光を受光できるカメラであればこれに限られない。【００７９】
また、上記実施の形態において、取得部４４８によりパネル認識マーク５３０及び部品認識マーク５２０のそれぞれにおいて１つの特徴点の位置を取得するとした。しかし、２つの特徴点の位置を取得してもよい。これにより、２つの特徴点をむすぶ直線の傾きのずれ量や２つの特徴点の中心のずれ量も部品２０１の位置ずれ量として算出することができるので、ＡＣＦ５００を介してパネル２００に実装された部品２０１の位置ずれ量をより精度良く検出することができる。【００８０】
また、上記実施の形態において、検査機１０５はパネル認識マーク５３０を基準として部品認識マーク５２０のずれ量を部品２０１の位置ずれ量とするとした。しかし、パネル２００の配線パターンを基準として部品２０１の配線パターン又は回路パターンとのずれ量を部品２０１の位置ずれ量としてもよい。【００８１】
また、上記実施の形態において、図１２に示すように、赤外光照明３０５はその光軸が部品認識マーク５２０の表面と交差するように配置されるとした。しかし、図１３及び１４に示されるように、赤外光照明３０５はその光軸（図１３における軸Ａ）が部品認識マーク５２０の表面と交差しないように配置されてもよい。この場合には、赤外光照明３０５は、その光軸が部品認識マーク５２０の表面つまり実装済パネル３００の表面（部品２０１の表面に実質的に平行な面）と５０°以上８５°未満の角度をなすように配置される。これにより、導電性粒子５１０が赤外線光を遮ることによる影響が抑制された、パネル認識マーク５３０及び部品認識マーク５２０の輪郭が明瞭で特徴点を認識可能な画像を得ることができる。さらに、図１２に示されるような配置をした場合と比較して、位置認識のための画像認識可能な明瞭な画像を得ることが可能な角度の範囲が５０°以上８５°未満と広くなるので、設計自由度を高くすることができる。【００８２】
これは、図１５及び１６から明らかである。図１５は、図１３及び１４に示されるような位置関係で赤外光照明３０５を配置したときの、照射角度、及び画像の評価結果の関係を示している。図１６は、図１３及び１４に示されるように赤外光照明３０５を配置したときの、照射角度、画像の評価結果及びパネル認識マーク５３０及び部品認識マーク５２０のマーク画像の関係を示している。なお、画像の評価結果の「○」はパネル認識マーク５３０及び部品認識マーク５２０の画像が輪郭の明瞭な認識可能なものであることを示し、「×」はそうでないことを示している。図１５及び１６では、照射角度が５０°以上８５°未満のときに、マーク画像が輪郭の明瞭な認識可能なものになることが示されている。また、上記実施の形態において、検査機１０５には１つの赤外光照明３０５のみが配設されるとした。しかし、図１７及び１８に示されるように、検査機１０５には異なる方向からパネル認識マーク５３０及び部品認識マーク５２０に光を照射する複数の赤外光照明３０５が配設されてもよい。例えば、図１９に示される部品認識マーク５２０のエッジが強調された画像が得られるように４つの赤外光照明３０５が配置される。すなわち、ＩＲカメラ３０７による撮像結果としての画像において光軸が部品認識マーク５２０の輪郭を構成する直線部と直交するように４つの赤外光照明３０５が配置される。または、図２０に示される円形の部品認識マーク５２０のエッジ（認識マークの輪郭の境界）が強調された画像が得られるように４つの赤外光照明３０５が配置される。【００８３】
また、上記実施の形態において、赤外光照明３０５がパネル２００の裏面側に配設され、ＩＲカメラ３０７が部品２０１の裏面側に配設されるとした。しかし、赤外光照明３０５及びＩＲカメラ３０７が実装済パネル３００を跨いで対向して位置すればこれに限られず、ＩＲカメラ３０７がパネル２００の裏面側に配設され、赤外光照明３０５が部品２０１の裏面側に配設されてもよい。この場合には、赤外光照明３０５の光軸がパネル認識マーク５３０の表面と交差し、さらに該光軸がパネル認識マーク５３０の表面つまり実装済パネル３００の表面の法線（パネル２００の表面の法線）に対して傾き、実装済パネル３００の表面と４５°以上６０°未満の角度をなすようにされる。または、赤外光照明３０５の光軸がパネル認識マーク５３０の表面と交差せず、さらに該光軸が実装済パネル３００の表面の法線に対して傾き、実装済パネル３００の表面と５０°以上８５°未満の角度をなすようにされる。【００８４】
例えば、図２１に示されるように、異なる方向からパネル認識マーク５３０及び部品認識マーク５２０に光を照射する複数の赤外光照明３０５が部品２０１の裏面側に配設され、ＩＲカメラ３０７がパネル２００の裏面側に配設される。そして、複数の赤外光照明３０５は、図２２に示されるパネル認識マーク５３０のエッジが強調された画像が得られるように配置される。すなわち、４つの赤外光照明３０５は、ＩＲカメラ３０７による撮像結果としての画像において光軸がパネル認識マーク５３０の輪郭を構成する直線部と直交するように配置される。【００８５】
また、図２３に示されるように、部品２０１の裏面に赤外光が照射されないように赤外光照明３０５が配置される場合、部品２０１の裏面の傷によるパネル認識マーク５３０及び部品認識マーク５２０の画像への悪影響を抑えることができる。
【産業上の利用可能性】
【００８６】
本発明は、検査装置及び検査方法に利用でき、特にパネルに部品を実装する部品実装システム等に利用することができる。
【図１】
2009093445.tif 000003
【図２】
2009093445.tif 000004
【図３】
2009093445.tif 000005
【図４】
2009093445.tif 000006
【図５】
2009093445.tif 000007
【図６】
2009093445.tif 000008
【図７】
2009093445.tif 000009
【図８】
2009093445.tif 000010
【図９】
2009093445.tif 000011
【図１０】
2009093445.tif 000012
【図１１Ａ】
2009093445.tif 000013
【図１１Ｂ】
2009093445.tif 000014
【図１１Ｃ】
2009093445.tif 000015
【図１２】
2009093445.tif 000016
【図１３】
2009093445.tif 000017
【図１４】
2009093445.tif 000018
【図１５】
2009093445.tif 000019
【図１６】
2009093445.tif 000020
【図１７】
2009093445.tif 000021
【図１８】
2009093445.tif 000022
【図１９】
2009093445.tif 000023
【図２０】
2009093445.tif 000024
【図２１】
2009093445.tif 000025
【図２２】
2009093445.tif 000026
【図２３】
2009093445.tif 000027
【手続補正書】
【提出日】平成22年6月3日(2010.6.3)
【手続補正１】
【補正対象書類名】明細書
【補正対象項目名】全文
【補正方法】変更
【補正の内容】
【発明の詳細な説明】
【技術分野】
【０００１】
本発明は、検査装置及び検査方法に関し、特に電子部品の基板への実装状態を検査する検査装置及び検査方法に関する。
【背景技術】
【０００２】
従来から、ＩＴＯ（Indium Tin Oxide）等で構成される電極を持った液晶ディスプレイ及びプラズマディスプレイ等のフラットパネルディスプレイ（以下、パネルという）上に、電極を持ったＴＡＢ（Tape Automated Bonding）基板、半導体素子及びフレキシブル基板等の電子部品（以下、部品という）を実装することが行われている。
【０００３】
この実装では、部品とパネルとの間に異方性導電接着剤シート（以下、ＡＣＦという）を介在させた状態で部品のパネルへの仮圧着及び本圧着が行われ、パネルの電極と部品の電極とが接合される。仮圧着においては、熱圧着加圧ヘッドにより部品を弱く押圧して部品の仮圧着が行われ、その後の本圧着では、仮圧着された部品を熱圧着加圧ヘッドにより低圧着より高い温度と高い圧力で押圧して部品の本圧着が行われる。さらに、部品の所定の実装位置からの相対的なずれ量（位置ずれ量）が検査装置により検出される。検出された位置ずれ量は次のパネルの部品実装にフィードバックされ、位置ずれを補正した実装が行われる。
【０００４】
部品の位置ずれ量を検出する検査装置としては、例えば特許文献１に記載のものがある。この検査装置においてずれ量の検出は、パネル（透明基板）に設けられたアライメントマークと、部品に設けられたアライメントマークとのずれ量をパネルに実装された部品の位置ずれ量として検出することにより行われる。
【先行技術文献】
【特許文献】
【０００５】
【特許文献１】特開２００６−４０９７８号公報
【発明の概要】
【発明が解決しようとする課題】
【０００６】
ところで、特許文献１に記載の検査装置において部品のアライメントマークの位置は、パネルの裏面（パネルに部品が実装されていない側のパネルの面）側から該アライメントマークに近赤外光を照射し、パネルの裏面側で撮像装置により該アライメントマークを撮像し、その撮像結果に基づいて検出される。しかし、金属等の導電性粒子は近赤外光を透過しない又は透過し難いため、パネルの裏面側から近赤外光を照射しても、近赤外光が部品に設けられたアライメントマークに届くことは無く、部品のアライメントマークを撮像することができないのである。部品の実装ピッチの狭ピッチ化が進むに従って導電性粒子の微細化・高密度化が進み、導電性粒子で光が遮られ易くなるので、より部品のアライメントマークに光が届き難くなる。その結果、部品のアライメントマークを認識し難くなるため、実装ピッチの狭ピッチ化が進むに従ってこの問題がより顕著になる。従って、この特許文献１の検査装置では、ＡＣＦ等の導電性粒子を含む接合部材を介してパネルに実装された部品の位置ずれ量を検出することは極めて困難である。
【０００７】
そこで、本発明は、かかる問題点に鑑み、導電性粒子を含む接着部材を介してパネルに実装された部品の位置ずれ量を精度良く検出することが可能な検査装置及び検査方法を提供することを目的とする。
【課題を解決するための手段】
【０００８】
上記目的を達成するために、本発明の検査装置は、導電性粒子を含む接着部材を介してパネルの表面に実装された部品の所定の実装位置からのずれ量を検出する装置であって、パネルの表面に形成されたパネル認識マーク及び部品が実装されるパネルの表面に対向する前記部品の表面に形成された部品認識マークに光を照射する照明手段と、パネルに対し前記照明と反対側に配設され、前記光が照射されたパネル認識マーク及び部品認識マークを撮像するカメラと、前記カメラによる撮像結果としての画像から、前記パネル認識マーク及び前記部品認識マークの位置関係の所定の位置関係からのずれ量を算出する算出手段とを備え、前記照明手段は、パネル及び部品を透過し、かつ前記導電性粒子を透過しない又は透過し難い波長で光を照射し、前記照明手段の光軸は、前記パネル又は部品の表面の法線に対して傾いていることを特徴とする。
【０００９】
これにより、パネル又は部品の表面の法線に対して光軸が傾いた照明手段を用いてパネル認識マーク及び部品認識マークを撮像する。従って、照明手段からの光が導電性粒子により散乱され易くなり、散乱光がカメラに入ってパネル認識マーク及び部品認識マークの画像を形成するので、導電性粒子の影響によりパネル認識マーク及び部品認識マークが認識できないようなことを抑制することができる。その結果、導電性粒子の影響を低減させて部品の位置ずれ量を算出することができるので、導電性粒子を含む接着部材を介してパネルに実装された部品の位置ずれ量を精度良く検出することができる。
【００１０】
ここで、前記照明手段の光軸は、前記パネル認識マーク又は部品認識マークと交差してもよい。また、前記照明手段の光軸は、前記パネル又は部品の表面と４５°以上６０°未満の角度をなすのが好ましい。また、前記照明手段は、パネルに部品が実装される側とは反対側のパネルの裏面側に配設され、前記照明手段の光軸は、前記部品認識マークと交差し、前記部品の表面と４５°以上６０°未満の角度をなすのが好ましい。
【００１１】
これにより、照明手段からの光をパネル認識マーク又は部品認識マークに直接照射することができるので、光量の大きな照明手段を用いる必要が無くなり、低消費電力化を図ることができる。
【００１２】
また、前記照明手段の光軸は、前記パネル認識マーク及び部品認識マークと交差しなくてもよい。この場合、前記照明手段の光軸は、前記パネル又は部品の表面と５０°以上８５°未満の角度をなすのが好ましい。また、前記照明手段は、パネルに部品が実装される側とは反対側のパネルの裏面側に配設され、前記照明手段の光軸は、前記部品認識マークの表面と５０°以上８５°未満の角度をなすのが好ましい。
【００１３】
これにより、パネル認識マーク及び部品認識マークの明瞭な認識可能な画像を得ることが可能な角度の範囲が５０°以上８５°未満と広くなるので、設計自由度を高くすることができる。
【００１４】
また、前記照明手段は、異なる方向から前記パネル認識マーク及び部品認識マークに光を照射する複数の照明から構成されるのが好ましい。この場合、前記複数の照明のぞれぞれは、該照明の光軸が前記パネル認識マーク又は部品認識マークの輪郭を構成する直線部と直交するように配置されるのが好ましい。
【００１５】
これにより、パネル認識マーク又は部品認識マークのエッジが強調された画像を得ることができる。
【００１６】
また、本発明は、導電性粒子を含む接着部材を介してパネルの表面に実装された部品の所定の実装位置からのずれ量を検出する方法であって、パネルの表面に形成されたパネル認識マーク及び部品が実装されるパネルの表面に対向する前記部品の表面に形成された部品認識マークに光を照射する照明ステップと、パネルに対し前記照明と反対側に配設され、前記光が照射されたパネル認識マーク及び部品認識マークを撮像する撮像ステップと、前記カメラによる撮像結果としての画像から、前記パネル認識マーク及び前記部品認識マークの位置関係の所定の位置関係からのずれ量を算出する算出ステップとを含み、前記照明ステップでは、パネル及び部品を透過し、かつ前記導電性粒子を透過しない又は透過し難い波長で光を照射し、前記照明の光軸は、前記パネル又は部品の表面の法線に対して傾いていることを特徴とする検査方法とすることもできる。
【００１７】
これにより、導電性粒子を含む接着部材を介してパネルに実装された部品の位置ずれ量を精度良く検出することができる。
【発明の効果】
【００１８】
本発明によれば、導電性粒子を含む接着部材を介してパネルに実装された部品の位置ずれ量を精度良く検出することが可能な検査装置及び検査方法を実現できるという効果が奏される。
【図面の簡単な説明】
【００１９】
【図１】図１は、本発明の実施の形態の部品実装システムの全体構成を示す概念図である。
【図２】図２は、同部品実装システムのパネル実装機において部品がパネルに実装される様子を示す図である。
【図３】図３（ａ）は、同部品実装システムの検査機の概略構成を示す斜視図である。図３（ｂ）は、同部品実装システムの検査機で実装済パネルが検査される様子を示す図である。
【図４】図４は、検査機においてパネル認識マーク及び部品認識マークに赤外光が照射される様子を示す図である。
【図５】図５は、同部品実装システムの概略構成を示す機能ブロック図である。
【図６】図６は、同部品実装システムのフィードバック動作を示すシーケンスである。
【図７】図７（ａ）は、部品認識マークの一例を示す図である。図７（ｂ）は、パネル認識マークの一例を示す図である。図７（ｃ）は、パネル認識マークの一例を示す図である。図７（ｄ）は、部品認識マーク及びパネル認識マークの一例を示す図である。図７（ｅ）は、部品認識マーク及びパネル認識マークの一例を示す図である。
【図８】図８（ａ）は、部品認識マークの一例を示す図である。図８（ｂ）は、パネル認識マークの一例を示す図である。図８（ｃ）は、部品認識マーク及びパネル認識マークの一例を示す図である。
【図９】図９（ａ）は、ＩＲカメラによる撮像結果としての画像の一例を示す図である。図９（ｂ）は、ＩＲカメラによる撮像結果としての画像の一例を示す図である。
【図１０】図１０は、照射角度及び画像の評価結果の関係を示す図である。
【図１１Ａ】図１１Ａは、照射角度、画像の評価結果及びマーク画像の関係を示す図である。
【図１１Ｂ】図１１Ｂ（ａ）（ｂ）は、マーク画像の一例を示す図である。
【図１１Ｃ】図１１Ｃは、マーク画像の一例を示す図である。
【図１２】図１２は、検査機において部品認識マークに赤外光が照射される様子を示す図である。
【図１３】図１３は、検査機において部品認識マークに赤外光が照射される様子を示す図である。
【図１４】図１４は、検査機においてパネル認識マーク及び部品認識マークに赤外光が照射される様子を示す図である。
【図１５】図１５は、照射角度及び画像の評価結果の関係を示す図である。
【図１６】図１６は、照射角度、画像の評価結果及びマーク画像の関係を示す図である。
【図１７】図１７は、同部品実装システムの検査機で実装済パネルが検査される様子を示す図である。
【図１８】図１８は、検査機においてパネル認識マーク及び部品認識マークに赤外光が照射される様子を示す図である。
【図１９】図１９は、ＩＲカメラによる撮像結果としての画像の一例を示す図である。
【図２０】図２０は、ＩＲカメラによる撮像結果としての画像の一例を示す図である。
【図２１】図２１は、検査機においてパネル認識マーク及び部品認識マークに赤外光が照射される様子を示す図である。
【図２２】図２２は、ＩＲカメラによる撮像結果としての画像の一例を示す図である。
【図２３】図２３は、検査機において部品認識マークに赤外光が照射される様子を示す図である。
【発明を実施するための形態】
【００２０】
以下、本発明の実施の形態における部品実装システムについて、図面を参照しながら説明する。
【００２１】
図１は、本実施の形態の部品実装システム１００の全体構成を示す概念図である。
【００２２】
この部品実装システム１００は、ローダ１０１、洗浄機１０２、２つのパネル実装機１０３ａ及び１０３ｂ、部品供給ユニット１０４、検査機１０５並びにローダ１０６から構成されるラインと、ラインコントローラ１０８と、通信ケーブル１０９とから構成されている。
【００２３】
ローダ１０１は、パネルをラインに供給する。洗浄機１０２は、ローダ１０１により供給されたパネルのＡＣＦが貼り付けられる部分を洗浄する。２つのパネル実装機１０３ａ及び１０３ｂは、それぞれパネルの異なる辺に部品を実装する。部品供給ユニット１０４は、パネル実装機１０３ａに部品を供給する。検査機１０５は、ＡＣＦを介してパネルの表面に実装された部品の所定の実装位置からの相対的なずれ量（位置ずれ量）を検出する。ローダ１０６は、部品が実装されたパネル（以下、実装済パネルという）を排出する。ラインコントローラ１０８は、ライン全体の稼動状況や各種データの通信等を管理・制御する。通信ケーブル１０９は、ラインコントローラ１０８と各装置とを接続する。
【００２４】
パネル実装機１０３ａは、ＡＣＦ貼付装置１１３、仮圧着装置１１４及び本圧着装置１１５から構成される。ＡＣＦ貼付装置１１３は、パネルの表面の長辺及び短辺にＡＣＦを貼り付ける。仮圧着装置１１４は、熱圧着加圧ヘッドにより部品を載置し、弱く押圧してパネルの表面に仮圧着する。本圧着装置１１５は、パネルの表面の長辺に仮圧着された部品を熱圧着加圧ヘッドにより仮圧着より高い温度と圧力で押圧してパネルの表面に本圧着する。
【００２５】
パネル実装機１０３ｂは、本圧着装置１１６から構成される。本圧着装置１１６は、熱圧着加圧ヘッドによりパネルの表面の短辺に仮圧着された部品を仮圧着より高い温度と圧力で押圧してパネルの表面に本圧着する。
【００２６】
図２は、パネル実装機１０３ａ及び１０３ｂにおいて部品２０１がパネル２００に実装される様子を示す図である。
【００２７】
まず、ＡＣＦ貼付装置１１３でパネル２００の表面の側縁部にＡＣＦを貼り付けた後、仮圧着装置１１４にパネル２００を移動させる。
【００２８】
次に、部品２０１を保持する熱圧着加圧ヘッド２０２を下降させ（図２（ａ））、バックアップステージ２０３上に載置されたパネル２００の表面のＡＣＦが貼り付けられた部分に部品２０１を仮圧着する（図２（ｂ））。
【００２９】
次に、本圧着装置１１５にパネル２００を移動させた後、熱圧着加圧ヘッド２０４を下降させ（図２（ｃ））、バックアップステージ２０５上に載置されたパネル２００の表面の長辺に仮圧着された部品２０１を本圧着する（図２（ｄ））。
【００３０】
最後に、本圧着装置１１６にパネル２００を移動させた後、熱圧着加圧ヘッド２０６を下降させ（図２（ｅ））、バックアップステージ２０７上に載置されたパネル２００の表面の短辺に仮圧着された部品２０１を本圧着する（図２（ｆ））。
【００３１】
図３（ａ）は検査機１０５の概略構成を示す斜視図であり、図３（ｂ）は検査機１０５により実装済パネル３００が検査される様子を示す図である。
【００３２】
検査機１０５は、バックアップステージ３０１、パネル移載ステージ部３０２、パネル下搬送移載軸部３０３、赤外光照明３０５及び赤外線（ＩＲ）カメラ３０７を備える。
【００３３】
バックアップステージ３０１には、実装済パネル３００が載置される。パネル移載ステージ部３０２は、バックアップステージ３０１に実装済パネル３００を移載する。パネル下搬送移載軸部３０３は、実装済パネル３００をパネル移載ステージ部３０２に移送する。
【００３４】
赤外光照明３０５は、パネル２００の裏面（パネル２００に部品２０１が実装される表面に対する裏面側のパネル２００の面）側に配設され、パネル２００に部品２０１が実装されているパネル２００の表面に対する裏面である実装済パネル３００の裏面に赤外光を照射する。パネル２００は赤外光に対して透明であるため、赤外光照明３０５により照射された赤外光はパネル２００を透過し、パネル２００の表面（パネル２００に部品２０１が実装されるパネル２００の面）に形成されたパネル認識マーク、及びパネル２００の表面に対向する部品２０１の表面（パネル２００の表面と平行でパネル２００と接合する部品２０１の面）に形成された部品認識マークに照射される。
【００３５】
このとき、図４に示されるように、赤外光照明３０５の光軸は部品認識マーク５２０の表面と交差している。さらに、赤外光照明３０５の光軸は部品認識マーク５２０の表面及び実装済パネル３００の表面の法線（部品２０１の表面の法線）に対して傾いており、実装済パネル３００の表面と４５°以上６０°未満の角度をなしている。このような光軸の傾いた赤外光照明３０５によりパネル認識マーク５３０及び部品認識マーク５２０への光照射を行った場合には、ＡＣＦ５００における赤外光の光路長が長くなって導電性粒子（ＡＣＦ粒子）５１０に当たり易くなる。これにより、導電性粒子５１０は球形であるため、ＡＣＦ５００において赤外光照明３０５からの赤外光が導電性粒子５１０により散乱され易くなる。従って、赤外光照明３０５の光軸が実装済パネル３００の表面の法線に平行である場合には、ＩＲの直進性により赤外光照明３０５からの赤外光がＩＲカメラ３０７に直接入って部品認識マーク５２０の画像を形成する。この場合、導電性粒子５１０が部品認識マーク５２０に重なる部分は赤外線光が導電性粒子５１０を透過しない又は透過しにくい波長のため、導電性粒子５１０により部品認識マーク５２０の一部が欠けた画像になるが、赤外光照明３０５の光軸が傾いている場合には、赤外光の導電性粒子５１０による散乱光がＩＲカメラ３０７に入って部品認識マーク５２０の画像を形成する。その結果、導電性粒子５１０は赤外光を透過しない又は透過し難いにも関わらず、ＡＣＦ５００における導電性粒子５１０の存在する粒子部分も画像において明るく映り、粒子部分と導電性粒子５１０の存在しないバインダ部分（熱硬化性樹脂部分）との画像における輝度差が小さくなるため、導電性粒子５１０により部品認識マーク５２０の一部が欠けた画像となることが無くなる。
【００３６】
ここで、ＩＲカメラ３０７は、実装済パネル３００に対し赤外光照明３０５と反対側、つまり部品２０１の裏面（部品２０１がパネル２００と接合する面とは反対側の部品２０１の面）側に配設される。ＩＲカメラ３０７は、赤外光が照射されたパネル認識マーク５３０及び部品認識マーク５２０を撮像する。ＩＲカメラ３０７の光軸は部品認識マーク５２０の表面及び実装済パネル３００の表面の法線（部品２０１の表面の法線）と平行である。
【００３７】
このとき、それぞれの材質は主に、部品はポリイミドやＳｉで、パネル２００はガラスでパネル認識マーク５３０及び部品認識マーク５２０はＡｌであり、導電性粒子５１０の表面はＮｉで形成されている。
【００３８】
図５は、部品実装システム１００の概略構成を示す機能ブロック図である。
【００３９】
ラインコントローラ１０８は、制御部４１０、記憶部４１１、入力部４１２、表示部４１３、通信Ｉ／Ｆ部４１４及び演算部４１５を備える。
【００４０】
制御部４１０は、オペレータからの指示等に従って、記憶部４１１のライン制御データを実行し、その実行結果に従って各部を制御する。
【００４１】
記憶部４１１は、ハードディスクやメモリ等であり、ライン制御データ及びマスタテーブル４１１ａ等を保持する。マスタテーブル４１１ａは、対応付けられた一組の実装位置及び補正量（フィードバック量）を示す情報からなる。
【００４２】
入力部４１２は、キーボードやマウス等であり、表示部４１３は、ＣＲＴ（Cathode-Ray Tube）やＬＣＤ（Liquid Crystal Display）等である。これらは、本ラインコントローラ１０８とオペレータとが対話する等のために用いられる。
【００４３】
通信Ｉ／Ｆ部４１４は、ＬＡＮ（Local Area Network）アダプタ等であり、本ラインコントローラ１０８とパネル実装機１０３ａ及び検査機１０５との通信等に用いられる。
【００４４】
演算部４１５は、検査機１０５で算出された実装済パネル３００のパネル２００に実装された部品２０１の位置ずれ量に基づいて補正量を算出し、記憶部４１１のマスタテーブル４１１ａを更新する。
【００４５】
パネル実装機１０３ａは、制御部４３０、記憶部４３１、入力部４３２、表示部４３３、通信Ｉ／Ｆ部４３４、機構部４３５及びデータ更新部４３６を備える。
【００４６】
制御部４３０は、オペレータからの指示等に従って、記憶部４３１のＮＣデータを実行し、その実行結果に従って各部を制御する。
【００４７】
記憶部４３１は、ハードディスクやメモリ等であり、ＮＣデータ、及びフィードバックデータ４３１ａ等を保持する。フィードバックデータ４３１ａは、対応付けられた一組の実装位置及び補正量を示す情報からなる。
【００４８】
入力部４３２は、キーボードやマウス等であり、表示部４３３は、ＣＲＴやＬＣＤ等である。これらは、パネル実装機１０３ａとオペレータとが対話する等のために用いられる。
【００４９】
通信Ｉ／Ｆ部４３４は、ＬＡＮアダプタ等であり、パネル実装機１０３ａとラインコントローラ１０８との通信等に用いられる。
【００５０】
機構部４３５は、パネル実装機１０３ａの熱圧着加圧ヘッド２０２、２０４及び２０６、搬送部、アーム、ＸＹテーブル、部品供給部、並びにこれらを駆動するモータやモータコントローラ等を含む機構部品の集合である。
【００５１】
データ更新部４３６は、ラインコントローラ１０８から送信されたマスタテーブル４１１ａを基に記憶部４３１のフィードバックデータ４３１ａを更新する。
【００５２】
検査機１０５は、制御部４４０、記憶部４４１、入力部４４２、表示部４４３、通信Ｉ／Ｆ部４４４、機構部４４５、ずれ量算出部４４６及び取得部４４８を備える。
【００５３】
制御部４４０は、オペレータからの指示等に従って、記憶部４４１のＮＣデータを実行し、その実行結果に従って各部を制御する。
【００５４】
記憶部４４１は、ハードディスクやメモリ等であり、ＮＣデータ、検査位置データ４４１ａ及び特徴点データ４４１ｂ等を保持する。検査位置データ４４１ａは、検査機１０５において検査が行われる対象となる全ての位置を示す情報の集まりである。特徴点データ４４１ｂは、パネル認識マーク５３０及び部品認識マーク５２０の特徴点に関する情報である。
【００５５】
入力部４４２は、キーボードやマウス等であり、表示部４４３は、ＣＲＴやＬＣＤ等である。これらは、検査機１０５とオペレータとが対話する等のために用いられる。
【００５６】
通信Ｉ／Ｆ部４４４は、ＬＡＮアダプタ等であり、検査機１０５とラインコントローラ１０８との通信等に用いられる。
【００５７】
機構部４４５は、検査機１０５のパネル移載ステージ部３０２、パネル下搬送移載軸部３０３、赤外光照明３０５及びＩＲカメラ３０７並びにこれらを駆動するモータやモータコントローラ等を含む機構部品の集合である。
【００５８】
ずれ量算出部４４６は、本発明の算出手段の一例であり、ＩＲカメラ３０７による撮像結果としての画像からパネル認識マーク５３０と部品認識マーク５２０との部品２０１をパネル２００に実装した時の所定の実装の位置関係からのずれ量を算出する。具体的には、ＩＲカメラ３０７による撮像結果としての画像においてパネル認識マーク５３０の特徴点の位置を基準とした所定の位置からの、部品認識マーク５２０における所定の特徴点の位置のずれ量を算出する。
【００５９】
取得部４４８は、ＩＲカメラ３０７による撮像結果としての画像においてパネル認識マーク５３０の所定の特徴点及び部品認識マーク５２０の所定の特徴点の位置を取得する。
【００６０】
次に、部品実装システム１００のフィードバック動作（部品２０１の位置ずれ量を部品実装にフィードバックする流れ）について詳細に説明する。図６は、部品実装システム１００のフィードバック動作を示すシーケンスである。
【００６１】
まず、検査機１０５の制御部４４０は、機構部４４５により実装済パネル３００の１組のパネル認識マーク５３０及び部品認識マーク５２０を撮像させる（ステップＳ１１）。具体的には、検査位置データ４４１ａに示される位置の１つに形成されたパネル認識マーク５３０及び部品認識マーク５２０に、実装済パネル３００の裏面（パネル２００に部品２０１が実装された表面に対する裏面側の面）側から赤外光照明３０５により赤外光を照射させ、実装済パネル３００の表面（パネル２００に部品２０１が実装されている側の面）側において該パネル認識マーク５３０及び部品認識マーク５２０をＩＲカメラ３０７により撮像させる。
【００６２】
次に、検査機１０５の制御部４４０は、取得部４４８にパネル認識マーク５３０及び部品認識マーク５２０の特徴点の位置を取得させる（ステップＳ１２）。
【００６３】
例えば、図７（ａ）に示されるような部品認識マーク５２０が部品２０１の表面（部品２０１が実装されるパネル２００の面に対向する部品２０１の面）に形成され、図７（ｂ）又は（ｃ）に示されるようなパネル認識マーク５３０がパネル２００の表面（部品２０１が実装されるパネル２００の面）に形成され、部品２０１が所定の実装位置でパネル２００に実装されると部品認識マーク５２０及びパネル認識マーク５３０が図７（ｄ）又は（ｅ）に示されるような位置関係となるとする。この場合、部品認識マーク５２０及びパネル認識マーク５３０のそれぞれの輪郭を構成する直線が交わるエッジ（コーナ）Ａ１及びＡ２が特徴点として特徴点データ４４１ｂに示されているとすると、エッジＡ１及びＡ２の位置が取得される。
【００６４】
また、図８（ａ）に示されるような部品認識マーク５２０が部品２０１の表面（部品２０１が実装されるパネル２００の面に対向する部品２０１の面）に形成され、図８（ｂ）に示されるようなパネル認識マーク５３０がパネル２００の表面（部品２０１が実装されるパネル２００の面）に形成され、部品２０１が所定の実装位置でパネル２００に実装されると部品認識マーク５２０及びパネル認識マーク５３０が図８（ｃ）に示されるような位置関係となるとする。この場合、部品認識マーク５２０及びパネル認識マーク５３０を構成する円の重心Ｂ１及びＢ２が特徴点として特徴点データ４４１ｂに示されているとすると、円の重心Ｂ１及びＢ２の位置が取得される。
【００６５】
次に、検査機１０５の制御部４４０は、ずれ量算出部４４６によりパネル認識マーク５３０の特徴点の位置を基準とした所定の位置からの、部品認識マーク５２０の所定の特徴点の位置のずれ量を部品２０１の実装位置のずれ量である位置ずれ量として算出させる（ステップＳ１３）。具体的には、パネル認識マーク５３０の所定の特徴点の位置を基準とした部品認識マーク５２０の所定の特徴点の位置を算出させ、パネル認識マーク５３０の所定の特徴点の位置を基準とした所定の位置からの算出された部品認識マーク５２０の所定の特徴点の位置のずれ量を算出させる。
【００６６】
次に、検査機１０５の制御部４４０は、通信Ｉ／Ｆ部４４４により、算出された部品２０１の位置ずれ量を検査位置データ４４１ａに示された実装位置に対応付けてラインコントローラ１０８に送信させる（ステップＳ１４）。
【００６７】
次に、ラインコントローラ１０８の制御部４１０は、演算部４１５により、通信Ｉ／Ｆ部４１４を介して受信した位置ずれ量に基づいて、記憶部４１１のマスタテーブル４１１ａを更新させる（ステップＳ１５）。
【００６８】
次に、ラインコントローラ１０８の制御部４１０は、通信Ｉ／Ｆ部４１４により、更新されたマスタテーブル４１１ａをパネル実装機１０３ａに送信させる（ステップＳ１６）。
【００６９】
次に、パネル実装機１０３ａの制御部４３０は、通信Ｉ／Ｆ部４３４を介して受信したマスタテーブル４１１ａに基づいて、記憶部４３１のフィードバックデータ４３１ａを更新する（ステップＳ１７）。
【００７０】
最後に、パネル実装機１０３ａの制御部４３０は、ＮＣデータを実行し、機構部４３５により部品２０１をパネル２００に実装させる（ステップＳ１８）。実装に際しては更新されたフィードバックデータ４３１ａを加味して部品２０１の実装位置が補正され、補正された実装位置に部品２０１がＡＣＦ５００を介して実装される。
【００７１】
以上のように本実施の形態に係る検査機１０５によれば、得られたパネル認識マーク５３０及び部品認識マーク５２０の画像に基づいて検査機１０５が部品２０１の位置ずれ量を算出する。従って、ＡＣＦ５００を介してパネル２００に実装された部品２０１の位置ずれ量を精度良く検出することができる。
【００７２】
また、本実施の形態に係る検査機１０５によれば、赤外光照明３０５の光軸は実装済パネル３００の表面の法線に対して傾き、赤外光照明３０５の光軸は実装済パネル３００の表面あるいは部品２０１の表面と４５°以上６０°未満の角度をなしている。従って、導電性粒子５１０の影響を抑制し部品認識マーク５２０を撮像することができるので、部品２０１の位置ずれ量を算出することができ、ＡＣＦ５００を介してパネル２００に実装された部品２０１の位置ずれ量を確実に検出することができる。
【００７３】
すなわち、赤外光照明３０５の光軸が実装済パネル３００の表面の法線に平行である場合、図９（ａ）に示されるように、赤外線光が導電性粒子５１０を透過しない又は透過しにくい波長のため、導電性粒子５１０が赤外線光を遮ることによる影響によりパネル認識マーク５３０及び部品認識マーク５２０の輪郭が不明瞭で特徴点を認識できない画像しか得られない。しかし、赤外光照明３０５の光軸を実装済パネル３００の表面の法線に対して傾けることにより、図９（ｂ）に示されるような、導電性粒子５１０の影響が排除された、パネル認識マーク５３０及び部品認識マーク５２０の輪郭が明瞭で特徴点を認識可能な画像が得ることができる。
【００７４】
これは、図１０及び１１Ａから明らかである。図１０は、赤外光照明３０５の光軸と実装済パネル３００の表面あるいは部品２０１の表面とがなす角度（照射角度）、並びにパネル認識マーク５３０及び部品認識マーク５２０の画像が輪郭の明瞭な認識可能なものであるか否かの評価結果（画像の評価結果）の関係を示している。図１１Ａは、照射角度、画像の評価結果並びにパネル認識マーク５３０及び部品認識マーク５２０の画像（マーク画像）の関係を示している。なお、画像の評価結果の「○」はパネル認識マーク５３０及び部品認識マーク５２０の画像が輪郭の明瞭な認識可能なものであることを示し、「×」はそうでないことを示している。図１０及び１１Ａでは、照射角度が４５°以上６０°未満のときに、マーク画像が輪郭の明瞭な認識可能なものになることが示されている。例えば、照射角度が４０°の場合には、図１１Ｂに示される輪郭の不明瞭なマーク画像しか得られず、画像処理（多値化処理）にて表されるグラフにおいて、Ｘ座標に対する認識マークの輝度レベルの変化点の境界が不明瞭で認識マークの境界の検出が困難である。一方、照射角度が５０°の場合には、図１１Ｃに示される輪郭の明瞭な認識可能なマーク画像が得られ、画像処理（多値化処理）にて表されるグラフにおいて、Ｘ座標に対する認識マークの輝度レベルの変化点の境界が明瞭で認識マークの境界の検出が可能であり、認識マークの位置認識が可能である。
【００７５】
また、本実施の形態に係る検査機１０５によれば、図１２に示されるように、赤外光照明３０５はその光軸（図１２における軸Ａ）が部品認識マーク５２０の表面と交差するように配置される。従って、赤外光照明３０５からの赤外光を部品認識マーク５２０に直接照射することができるので、赤外光照明３０５の光量を大きくする必要が無くなり、低消費電力化を図ることができる。
【００７６】
以上、本発明の検査装置及び検査方法について、上記の実施の形態に基づいて説明したが、本発明は、この実施の形態に限定されるものではない。本発明の要旨を逸脱しない範囲内で当業者が思いつく各種変形を施したものも本発明の範囲内に含まれる。
【００７７】
例えば、上記実施の形態において、ラインに検査機１０５を設けるとした。しかし、パネル実装機１０３ａ及び１０３ｂに実装済パネル３００を検査する機能を持たせてもよい。この場合、パネル実装機１０３ａ及び１０３ｂは、実装済パネル３００に対し、上記実施の形態の検査機１０５と同様の位置関係で配置された赤外光照明３０５及びＩＲカメラ３０７を備える。
【００７８】
また、上記実施の形態において、パネル認識マーク５３０及び部品認識マーク５２０を撮像するために検査機１０５には赤外光照明３０５及びＩＲカメラ３０７が設けられるとした。しかし、パネル認識マーク５３０及び部品認識マーク５２０を撮像できる光つまりパネル２００及び部品２０１を透過し、かつ導電性粒子５１０を透過しない又は透過し難い波長の光を発する照明、及びその光を受光できるカメラであればこれに限られない。
【００７９】
また、上記実施の形態において、取得部４４８によりパネル認識マーク５３０及び部品認識マーク５２０のそれぞれにおいて１つの特徴点の位置を取得するとした。しかし、２つの特徴点の位置を取得してもよい。これにより、２つの特徴点をむすぶ直線の傾きのずれ量や２つの特徴点の中心のずれ量も部品２０１の位置ずれ量として算出することができるので、ＡＣＦ５００を介してパネル２００に実装された部品２０１の位置ずれ量をより精度良く検出することができる。
【００８０】
また、上記実施の形態において、検査機１０５はパネル認識マーク５３０を基準として部品認識マーク５２０のずれ量を部品２０１の位置ずれ量とするとした。しかし、パネル２００の配線パターンを基準として部品２０１の配線パターン又は回路パターンとのずれ量を部品２０１の位置ずれ量としてもよい。
【００８１】
また、上記実施の形態において、図１２に示すように、赤外光照明３０５はその光軸が部品認識マーク５２０の表面と交差するように配置されるとした。しかし、図１３及び１４に示されるように、赤外光照明３０５はその光軸（図１３における軸Ａ）が部品認識マーク５２０の表面と交差しないように配置されてもよい。この場合には、赤外光照明３０５は、その光軸が部品認識マーク５２０の表面つまり実装済パネル３００の表面（部品２０１の表面に実質的に平行な面）と５０°以上８５°未満の角度をなすように配置される。これにより、導電性粒子５１０が赤外線光を遮ることによる影響が抑制された、パネル認識マーク５３０及び部品認識マーク５２０の輪郭が明瞭で特徴点を認識可能な画像を得ることができる。さらに、図１２に示されるような配置をした場合と比較して、位置認識のための画像認識可能な明瞭な画像を得ることが可能な角度の範囲が５０°以上８５°未満と広くなるので、設計自由度を高くすることができる。
【００８２】
これは、図１５及び１６から明らかである。図１５は、図１３及び１４に示されるような位置関係で赤外光照明３０５を配置したときの、照射角度、及び画像の評価結果の関係を示している。図１６は、図１３及び１４に示されるように赤外光照明３０５を配置したときの、照射角度、画像の評価結果及びパネル認識マーク５３０及び部品認識マーク５２０のマーク画像の関係を示している。なお、画像の評価結果の「○」はパネル認識マーク５３０及び部品認識マーク５２０の画像が輪郭の明瞭な認識可能なものであることを示し、「×」はそうでないことを示している。図１５及び１６では、照射角度が５０°以上８５°未満のときに、マーク画像が輪郭の明瞭な認識可能なものになることが示されている。また、上記実施の形態において、検査機１０５には１つの赤外光照明３０５のみが配設されるとした。しかし、図１７及び１８に示されるように、検査機１０５には異なる方向からパネル認識マーク５３０及び部品認識マーク５２０に光を照射する複数の赤外光照明３０５が配設されてもよい。例えば、図１９に示される部品認識マーク５２０のエッジが強調された画像が得られるように４つの赤外光照明３０５が配置される。すなわち、ＩＲカメラ３０７による撮像結果としての画像において光軸が部品認識マーク５２０の輪郭を構成する直線部と直交するように４つの赤外光照明３０５が配置される。または、図２０に示される円形の部品認識マーク５２０のエッジ（認識マークの輪郭の境界）が強調された画像が得られるように４つの赤外光照明３０５が配置される。
【００８３】
また、上記実施の形態において、赤外光照明３０５がパネル２００の裏面側に配設され、ＩＲカメラ３０７が部品２０１の裏面側に配設されるとした。しかし、赤外光照明３０５及びＩＲカメラ３０７が実装済パネル３００を跨いで対向して位置すればこれに限られず、ＩＲカメラ３０７がパネル２００の裏面側に配設され、赤外光照明３０５が部品２０１の裏面側に配設されてもよい。この場合には、赤外光照明３０５の光軸がパネル認識マーク５３０の表面と交差し、さらに該光軸がパネル認識マーク５３０の表面つまり実装済パネル３００の表面の法線（パネル２００の表面の法線）に対して傾き、実装済パネル３００の表面と４５°以上６０°未満の角度をなすようにされる。または、赤外光照明３０５の光軸がパネル認識マーク５３０の表面と交差せず、さらに該光軸が実装済パネル３００の表面の法線に対して傾き、実装済パネル３００の表面と５０°以上８５°未満の角度をなすようにされる。
【００８４】
例えば、図２１に示されるように、異なる方向からパネル認識マーク５３０及び部品認識マーク５２０に光を照射する複数の赤外光照明３０５が部品２０１の裏面側に配設され、ＩＲカメラ３０７がパネル２００の裏面側に配設される。そして、複数の赤外光照明３０５は、図２２に示されるパネル認識マーク５３０のエッジが強調された画像が得られるように配置される。すなわち、４つの赤外光照明３０５は、ＩＲカメラ３０７による撮像結果としての画像において光軸がパネル認識マーク５３０の輪郭を構成する直線部と直交するように配置される。
【００８５】
また、図２３に示されるように、部品２０１の裏面に赤外光が照射されないように赤外光照明３０５が配置される場合、部品２０１の裏面の傷によるパネル認識マーク５３０及び部品認識マーク５２０の画像への悪影響を抑えることができる。
【産業上の利用可能性】
【００８６】
本発明は、検査装置及び検査方法に利用でき、特にパネルに部品を実装する部品実装システム等に利用することができる。
【符号の説明】
【００８７】
１００    部品実装システム
１０１、１０６    ローダ
１０２    洗浄機
１０３ａ、１０３ｂ    パネル実装機
１０４    部品供給ユニット
１０５    検査機
１０８    ラインコントローラ
１０９    通信ケーブル
１１３    ＡＣＦ貼付装置
１１４    仮圧着装置
１１５、１１６    本圧着装置
２００    パネル
２０１    部品
２０２、２０４、２０６    熱圧着加圧ヘッド
２０３、２０５、２０７、３０１    バックアップステージ
３００    実装済パネル
３０２    パネル移載ステージ部
３０３    パネル下搬送移載軸部
３０５    赤外光照明
３０７    ＩＲカメラ
４１０、４３０、４４０    制御部
４１１、４３１、４４１    記憶部
４１１ａ    マスタテーブル
４１２、４３２、４４２    入力部
４１３、４３３、４４３    表示部
４１４、４３４、４４４    通信Ｉ／Ｆ部
４１５    演算部
４３１ａ    フィードバックデータ
４３５、４４５    機構部
４３６    データ更新部
４４１ａ    検査位置データ
４４１ｂ    特徴点データ
４４６    ずれ量算出部
４４８    取得部
５００    ＡＣＦ
５１０    導電性粒子
５２０    部品認識マーク
５３０    パネル認識マーク
【手続補正２】
【補正対象書類名】特許請求の範囲
【補正対象項目名】全文
【補正方法】変更
【補正の内容】
【特許請求の範囲】
【請求項１】
導電性粒子を含む接着部材を介してパネルの表面に実装された部品の所定の実装位置からのずれ量を検出する装置であって、
パネルの表面に形成されたパネル認識マーク及び部品が実装されるパネルの表面に対向する前記部品の表面に形成された部品認識マークに光を照射する照明手段と、
パネルに対し前記照明と反対側に配設され、前記光が照射されたパネル認識マーク及び部品認識マークを撮像するカメラと、
前記カメラによる撮像結果としての画像から、前記パネル認識マーク及び前記部品認識マークの位置関係の所定の位置関係からのずれ量を算出する算出手段とを備え、
前記照明手段は、パネル及び部品を透過し、かつ前記導電性粒子を透過しない又は透過し難い波長で光を照射し、
前記照明手段の光軸は、前記パネル又は部品の表面の法線に対して傾いている
ことを特徴とする検査装置。
【請求項２】
前記照明手段の光軸は、前記パネル認識マーク又は部品認識マークと交差する
ことを特徴とする請求項１に記載の検査装置。
【請求項３】
前記照明手段の光軸は、前記パネル又は部品の表面と４５°以上６０°未満の角度をなす
ことを特徴とする請求項２に記載の検査装置。
【請求項４】
前記照明手段は、パネルに部品が実装される側とは反対側のパネルの裏面側に配設され、
前記照明手段の光軸は、前記部品認識マークと交差し、前記部品の表面と４５°以上６０°未満の角度をなす
ことを特徴とする請求項３に記載の検査装置。
【請求項５】
前記照明手段の光軸は、前記パネル認識マーク及び部品認識マークと交差しない
ことを特徴とする請求項１に記載の検査装置。
【請求項６】
前記照明手段の光軸は、前記パネル又は部品の表面と５０°以上８５°未満の角度をなす
ことを特徴とする請求項５に記載の検査装置。
【請求項７】
前記照明手段は、パネルに部品が実装される側とは反対側のパネルの裏面側に配設され、
前記照明手段の光軸は、前記部品認識マークの表面と５０°以上８５°未満の角度をなす
ことを特徴とする請求項６に記載の検査装置。
【請求項８】
前記照明手段は、異なる方向から前記パネル認識マーク及び部品認識マークに光を照射する複数の照明から構成される
ことを特徴とする請求項１〜７のいずれか１項に記載の検査装置。
【請求項９】
前記複数の照明のぞれぞれは、該照明の光軸が前記パネル認識マーク又は部品認識マークの輪郭を構成する直線部と直交するように配置される
ことを特徴とする請求項８に記載の検査装置。
【請求項１０】
導電性粒子を含む接着部材を介してパネルの表面に実装された部品の所定の実装位置からのずれ量を検出する方法であって、
パネルの表面に形成されたパネル認識マーク及び部品が実装されるパネルの表面に対向する前記部品の表面に形成された部品認識マークに光を照射する照明ステップと、
パネルに対し前記照明と反対側に配設され、前記光が照射されたパネル認識マーク及び部品認識マークを撮像する撮像ステップと、
前記カメラによる撮像結果としての画像から、前記パネル認識マーク及び前記部品認識マークの位置関係の所定の位置関係からのずれ量を算出する算出ステップとを含み、
前記照明ステップでは、パネル及び部品を透過し、かつ前記導電性粒子を透過しない又は透過し難い波長で光を照射し、
前記照明の光軸は、前記パネル又は部品の表面の法線に対して傾いている
ことを特徴とする検査方法。
【手続補正３】
【補正対象書類名】図面
【補正対象項目名】全図
【補正方法】変更
【補正の内容】
【図１】
2009093445.tif 000028
【図２】
2009093445.tif 000029
【図３】
2009093445.tif 000030
【図４】
2009093445.tif 000031
【図５】
2009093445.tif 000032
【図６】
2009093445.tif 000033
【図７】
2009093445.tif 000034
【図８】
2009093445.tif 000035
【図９】
2009093445.tif 000036
【図１０】
2009093445.tif 000037
【図１１Ａ】
2009093445.tif 000038
【図１１Ｂ】
2009093445.tif 000039
【図１１Ｃ】
2009093445.tif 000040
【図１２】
2009093445.tif 000041
【図１３】
2009093445.tif 000042
【図１４】
2009093445.tif 000043
【図１５】
2009093445.tif 000044
【図１６】
2009093445.tif 000045
【図１７】
2009093445.tif 000046
【図１８】
2009093445.tif 000047
【図１９】
2009093445.tif 000048
【図２０】
2009093445.tif 000049
【図２１】
2009093445.tif 000050
【図２２】
2009093445.tif 000051
【図２３】
2009093445.tif 000052
【国際調査報告】
2009093445.tif 000053
2009093445.tif 000054
2009093445.tif 000055
2009093445.tif 000056